(57)【要約】【課題】場合によって近接感応センサーの感度を調整し、精度を向上させ、有効に誤り操作を防ぐことを可能にする。【解決手段】操作によって発生された第１操作信号を感知する第１感知区域と、前記操作によって発生された第２操作信号を感知する第２感知区域とを備えてなる近接感応センサーを提出する。その近接感応センサーは、閾値と、前記第１操作信号対前記第２操作信号の比率とを比較することにより、前記操作が正確かどうか判断する。【選択図】図１
2007116684.tif 000002
【特許請求の範囲】
【請求項１】
操作が正確かどうかを判断するための近接感応センサーであって、
前記操作によって発生された第１操作信号を感知する第１感知区域と、
前記操作によって発生された第２操作信号を感知する第２感知区域とを備えてなり、
閾値と、前記第１操作信号対前記第２操作信号の比率とを比較することにより、前記操作が正確かどうかを判断することを特徴とする近接感応センサー。
【請求項２】
操作が正確かどうかを判断する近接感応センサーであって、
前記操作によって発生された第１操作信号を感知する第１感知区域と、
前記操作によって発生された複数の第２操作信号をそれぞれ感知する複数の第２感知区域とを備えてなり、
閾値と、前記第１操作信号対前記複数の第２操作信号の何れの比率とを比較することにより、前記操作が正確かどうかを判断することを特徴とする近接感応センサー。
【請求項３】
前記第１感知区域は前記複数の第２感知区域によって取り囲まれることを特徴とする請求項２記載の近接感応センサー。
【請求項４】
前記第１感知区域と前記複数の第２感知区域は同じ又は異なる感知手段を用い、該感知手段は電場式、抵抗式、コンデンサー式、超音波式、及び光学式手段よりなる群から選択される一種であることを特徴とする請求項２記載の近接感応センサー。
【発明の詳細な説明】
【技術分野】
【０００１】
本発明は切替装置に関し、特に切替装置の近接感応センサーに関する。
【背景技術】
【０００２】
光電技術の発展につれて、近接感応切替装置を使用することが求められてくる。一般的な近接感応切替装置は近接感応切替スイッチやタッチパネルなどを含み、主にシステム（系統）の状態を切り替えるのに使用されている。近接感応センサーの作動方式は、物体が近接感応センサーの感知範囲に近づくと、近接感応センサーが物体と接触する又は接触しない場合に、近接感応センサーは物体のある位置を感知して獲得した信号を電氣信号に変換する。すると、システム（系統）はその電氣信号に応じて適当に反応を起こして状態を切り替えることができる。
【０００３】
例えばタッチパネルはセンサー・ユニット（単元）が一つ付いているディスプレイを含む。そのセンサー単元は、制御装置と設備のドライバープログラムと共に、それぞれの操作や作動を感知して、その位置を確認して、そして情報をコンピューターのオペレーティングシステムに発送する。従来、近接感応センサーは電場式、抵抗式、コンデンサー式、超音波式、及び光学式がある。
【０００４】
電場式技術は近接場イメージング（ＮＦＩ，  Ｎｅａｒ  Ｆｉｅｌｄ  Ｉｍａｇｉｎｇ）とも呼ばれる。この技術を使用するタッチパネルは透明な金属酸化物導電塗層を挟むガラスを二枚有する。その導電塗層に交流信号を送って、ディスプレイにはつい静電場が生まれる。指（手袋をはめてもはめなくてもいい）又は他の導体でセンサーに接触すると、静電場が干渉され、それに応じて影像処理の制御装置は干渉信号を感知してそして相応の座標パラメーターをオペレーティングシステムに発送する。近接場イメージングが適用されるタッチパネルは耐久力があるだけではなく、感度もいいし、そして厳しい環境の中でも使われることができる。
【０００５】
抵抗式タッチパネルは柔らかい上層板と硬い下層板によって構成されているものである。二層の材料の間に多少の絶縁点が広がり、上層板の内側と下層板の内側のそれぞれも一層の透明な金属酸化物塗層を有する。抵抗の分圧作用のために、板には異なる所在の電圧の差異がある。上層板に接触すると、上層板と下層板の間に接触点を形成して、回路の中のスイッチのようになる。制御回路は接触点の形成した異なる電圧を位置座標情報に変換する。抵抗式タッチパネルは電氣供給も簡単でし産業化も容易であるし、そして適用範囲も広い。しかしながら、その表面は一般にプラスチックで構成され柔らかくなるので、耐摩耗性が低下する。
【０００６】
コンデンサー式タッチパネルは表面に透明な金属酸化物が敷いてある曲面又は平面ガラスである。使用者がパネルの四角に電圧を加えると、手袋をはめていない指又は導体はパネルと接触する時四角から異なる電流を吸収して、つい平衡の電場をパネルに形成する。電流は接触の位置によって変わる。制御回路は異なる電流に基づいて接触の位置を決定する。コンデンサー式タッチパネルは主にゲーム・娯楽の設備や公共の情報サービス設備に適用されているから、画面に要求が少なく、接触の解像度に要求が多い。欠点は校正されることが必要になり、長時間の磨耗のため悪影響をもたらすことである。
【０００７】
超音波式パネルは、パネルの縦・横の両方向のエッジに設置される圧電素子を通じて超音波を発射し、それぞれの対面に設置される超音波センサーと共に、パネルの表面に縦横に引かれる超音波格子を形成するものである。指又はその他の柔らかなタッチペンがパネルの表面に近づくと、縦方向と横方向の音波は障害、吸収される。超音波センサーは音波の変化によって指又はタッチペンがパネルに接触するかどうか確認できる。異なるセンサーは異なる座標位置を持っているので、制御装置は超音波の強度と位置変化の情報に基づいて接触点にたいして定位できる。超音波式パネルは接触の感知解像度に要求が高くて、耐久力もある。その上、パネルの表面の水平に対して要求が高くないので、球面、柱面のディスプレーにもうまく適用される。欠点は、指とタッチペンが音波を吸収してはいけないのでノイズに干渉されることもあり、給電系統の安定やパネルの表面の清潔に対して要求も高くなることである。たとえ水滴かほこりでも影像の効果に悪影響をもたらす。
【０００８】
光学式パネル、即ち赤外線式パネルは光束を障害する原理に基づいて作動する。もとのパネル表面に素材を敷くことに代わって、パネルのエッジにフレームを設置して、そのフレームの二つの対辺には一つのエッジに発光ダイオードを設置してもう一つのエッジに赤外線センサーを設置して、ついパネルの表面に赤外線から構成される格子になる。物体がこの格子に入ると、赤外線が障害されることになったので、赤外線センサーは変化の信号を受けて制御装置を通じて接触の位置座標をオペレーティングシステムに発送する。光学式パネルは、光を完全に透過させることもできるし、ディスプレーの寿命に悪影響をもたらさないし、解像度もよい。しかし、欠点は、価格が高いし、発光ダイオードの寿命も短いし、環境の光線に干渉されることになりやすい。
【０００９】
近接感応切替スイッチは、構成と作動が上記タッチパネルとほぼ同じで、スイッチ部分にセンサーが設置してあって操作を感知することができる。
【発明の開示】
【発明が解決しようとする課題】
【００１０】
従来の近接感応センサーは主に電場式、抵抗式、コンデンサー式、超音波式、及び光学式を含み、一点又は一つの区域に対して感知するものである。しかしながら、実際の使用場合にいずれも次のような問題がある。（１）設計方式は異なる環境によって変わってはいけない、（２）感度は異なる環境によって変わることもある、（３）電性の異なる干渉は避けられない、及び（４）誤り操作は発生しやすい。よって、近接感応センサーは普及が難しい。
【課題を解決するための手段】
【００１１】
本発明は、従来の近接感応センサーの誤り操作を防ぎ、直接に従来のプリント配線基板プロセス又は集積回路プロセスで完成される近接感応センサーを提供することで上記課題を解決する。
【００１２】
本発明は、操作が正確かどうかを判断する近接感応センサーを提供する。近接感応センサーは、操作によって発生された第１操作信号を感知する第１感知区域と、前記操作によって発生された第２操作信号を感知する第２感知区域とを備えてなり、閾値と、前記第１操作信号対前記第２操作信号の比率とを比較することにより、前記操作が正確かどうか判断することを特徴とする。
【００１３】
さらに、本発明は操作が正確かどうかを判断する別の態様の近接感応センサーを提供する。当該近接感応センサーは、操作によって発生された第１操作信号を感知する第１感知区域と、前記操作によって発生された複数の第２操作信号をそれぞれ感知する複数の第２感知区域とを備えてなり、閾値と、前記第１操作信号対前記複数の第２操作信号の何れの比率とを比較することにより、前記操作が正確かどうか判断することを特徴とする。
【００１４】
前記閾値は調整可能になることを特徴とする。
【００１５】
前記第１感知区域は前記複数の第２感知区域によって取り囲まれることを特徴とする。
【００１６】
前記第１感知区域と前記複数の第２感知区域は円形、方形、楕円形、星形、心形、空心形よりなる群から選択される少なくとも一種であることを特徴とする
【００１７】
前記第１感知区域と前記複数の第２感知区域は同じ又は異なる感知手段を用い、該感知手段は電場式、抵抗式、コンデンサー式、超音波式、及び光学式手段よりなる群から選択される少なくとも一種であることを特徴とする。
【発明の効果】
【００１８】
本発明の近接感応センサーでは、場合によって感度を調整し、精度を向上させ、有効に誤り操作を防ぐことも可能になる。
【発明を実施するための最良の形態】
【００１９】
図１は本発明に係る近接感応センサーを示す図である。図１において、近接感応センサー１０は、駆動区域１１と感知区域１２と制限感知区域１３を含んでいる。この実施例の近接感応センサーは電場式の近接感応センサーであるが、駆動区域１１は電場を発生させるようにする。駆動区域１１が電場を発生させると、感知区域１２と制限感知区域１３とも基礎の電圧を感知する。操作がなければ、感知区域１２と制限感知区域１３はそれぞれ同じの電圧を感知する。感知区域１２は第１感知区域として、操作を感知して第１電圧の変化を発生させるようにする。制限感知区域１３は第２感知区域として、該操作を感知して第２電圧の変化を発生させるようにする。
【実施例１】
【００２０】
実施例１において、感知区域１２は該操作を感知するように設置されるが、該操作は正確な操作である。一方、制限感知区域１３も該操作を感知するように設置されるが、該操作は誤り操作である。感知区域１２の機能と制限感知区域１３は互いに交換されてもよい。例えば、感知区域１２は、第２電圧の変化を発生させるようにしてもよい。即ち、感知区域１２は該誤り操作を感知する。そして、制限感知区域１３は、第１電圧の変化を発生させるようにしてもよい。即ち、制限感知区域１３は該正確な操作を感知する。
【００２１】
実施例１において、近接感応センサー１０は下に示す方式で操作が正確かどうかを判断する。
【００２２】
操作が精確に感知区域１２に発生すると、感知区域１２は該操作を感知して第１電圧の変化を発生させる。しかし、制限感知区域１３は該操作も感知しなくて第２電圧の変化も発生させない。第１電圧の変化対第２電圧の変化の比率が閾値を超えたら、該操作が感知区域１２に発生することを意味する。即ち、該操作が誤り操作でないことを意味する。すると、近接感応センサー１０は今の状態を切り替える。
【００２３】
大面積の誤り操作が感知区域１２と制限感知区域１３に発生すると、感知区域１２と制限感知区域１３は同時に該大面積の誤り操作を感知して、第１電圧の変化と第２電圧の変化をそれぞれに発生させる。第１電圧の変化対第２電圧の変化の比率が閾値を超えなかったら、該操作が誤り操作であることを意味する。すると、近接感応センサー１０は今の状態を切り替えない。
【００２４】
操作が制限感知区域１３に発生すると、制限感知区域１３は該操作を感知して第２電圧の変化を発生させる。しかし、感知区域１２は該操作も感知しなくて第１電圧の変化も発生させない。第１電圧の変化対第２電圧の変化の比率が閾値を超えなかったら、該操作が誤り操作であることを意味する。すると、近接感応センサー１０は今の状態を切り替えない。
【００２５】
例えば、ほこり、油滴、水滴などの、面積が感知区域１２よりほぼ狭い物体が感知区域１２に位置すると、該物体が小さいから感知区域１２は該操作を感知しなくて第１電圧の変化を発生させない。制限感知区域１３も該操作を感知しなくて第２電圧の変化を発生させない。第１電圧の変化対第２電圧の変化の比率が閾値を超えなかったら、該操作が誤り操作であることを意味する。すると、近接感応センサー１０は今の状態を切り替えない。
【００２６】
上記の閾値は製造される時の初期値７／３であるが、調整可能になる。場合によって、使用者は異なる閾値を設定することもできる。閾値が大きければ大きいほど近接感応センサーの感度が低くなる。一方、閾値が小さければ小さいほど近接感応センサーの感度が高くなる。
【００２７】
上記のように説明された近接感応センサーが作動する時、感知区域１２と制限感知区域１３の間に、形式的な接続関係もなくて特定の相対位置関係もない。例えば、感知区域１２が制限感知区域１３の隣にあることもあり、感知区域１２が制限感知区域１３によって取り囲まれること、又は制限感知区域１３が感知区域１２によって取り囲まれることもある。つまり、感知区域１２と制限感知区域１３の間の相対位置関係は本発明に開示した実施例に限らない。
【００２８】
その上、感知区域１２と制限感知区域１３とも特定の形状に限らない。例えば、感知区域１２と制限感知区域１３は円形、方形、楕円形、星形、心形、空心形又はいずれの従来の形状であってもよい。感知区域１２と制限感知区域１３の形状は本発明に開示した実施例に限らない。
【００２９】
実施例１において、感知区域１２と制限感知区域１３はそれぞれ異なる感知手段を用いてもよい。例えば、感知区域１２が電場式手段を用いて操作を感知して、制限感知区域１３が超音波式手段を用いて操作を感知することもできる。即ち、感知区域１２又は制限感知区域１３の用いる感知手段は本発明に開示した実施例に限らない。
【実施例２】
【００３０】
図２（ａ）は本発明に係る別の態様の近接感応センサーを示す図である。図２（ａ）において、近接感応センサー２０は、複数の駆動区域２１と複数の感知区域２２と複数の制限感知区域２３を含んでいる。この実施例の近接感応センサーは電場式の近接感応センサーであるが、複数の駆動区域２１は電場を発生させるようにする。複数の駆動区域２１が電場を発生させると、複数の感知区域２２と複数の制限感知区域２３とも基礎の電圧を感知する。操作がなければ、複数の感知区域２２と複数の制限感知区域２３はそれぞれ同じの電圧を感知する。複数の感知区域２２は複数の第１感知区域として、操作を感知して複数の第１電圧の変化を発生させるようにする。複数の制限感知区域２３は複数の第２感知区域として、該操作を感知して複数の第２電圧の変化を発生させるようにする。
【００３１】
図２（ｂ）は本発明の実施例２の近接感応センサーの変形例を示す図である。図２（ｂ）において、近接感応センサー２０は、複数の駆動区域２１と複数の感知区域２２と制限感知区域２４を含んでいる。その中、制限感知区域２４は図２（ａ）における複数の制限感知区域２３からなる。複数の駆動区域２１は電場を発生させるようにする。複数の駆動区域２１が電場を発生させると、複数の感知区域２２と制限感知区域２４とも基礎の電圧を感知する。操作がなければ、複数の感知区域２２と制限感知区域２４はそれぞれ同じの電圧を感知する。複数の感知区域２２は複数の第１感知区域として、操作を感知して複数の第１電圧の変化を発生させるようにする。制限感知区域２４は第２感知区域として、該操作を感知して第２電圧の変化を発生させるようにする。
【００３２】
実施例２において、複数の感知区域２２は該操作を感知するように設置されるが、該操作は正確な操作である。一方、複数の制限感知区域２３、２４も該操作を感知するように設置されるが、該操作は誤り操作である。複数の感知区域２２の機能と複数の制限感知区域２３、２４は互いに交換されてもよい。例えば、複数の感知区域２２は、第２電圧の変化を発生させるようにしてもよい。即ち、複数の感知区域２２は該誤り操作を感知する。そして、複数の制限感知区域２３、２４は、第１電圧の変化を発生させるようにしてもよい。即ち、複数の制限感知区域２３、２４は該正確な操作を感知する。
【００３３】
実施例２において、近接感応センサー２０は下に示す方式で操作が正確かどうかを判断する。
【００３４】
操作が精確に感知区域２１に発生すると、感知区域２１は該操作を感知して第１電圧の変化を発生させる。しかし、制限感知区域２３、２４は該操作も感知しなくて第２電圧の変化も発生させない。第１電圧の変化対第２電圧の変化の比率が閾値を超えたら、該操作が感知区域２１に発生することを意味する。即ち、該操作が誤り操作でないことを意味する。すると、近接感応センサー２０は今の状態を切り替える。
【００３５】
大面積の誤り操作が感知区域２１と制限感知区域２３、２４に発生すると、感知区域２１と制限感知区域２３、２４は同時に該大面積の誤り操作を感知して、第１電圧の変化と第２電圧の変化をそれぞれに発生させる。第１電圧の変化対第２電圧の変化の比率が閾値を超えなかったら、該操作が誤り操作であることを意味する。すると、近接感応センサー２０は今の状態を切り替えない。
【００３６】
操作が制限感知区域２３、２４に発生すると、制限感知区域２３、２４は該操作を感知して第２電圧の変化を発生させる。しかし、感知区域２１は該操作も感知しなくて第１電圧の変化も発生させない。第１電圧の変化対第２電圧の変化の比率が閾値を超えなかったら、該操作が誤り操作であることを意味する。すると、近接感応センサー２０は今の状態を切り替えない。
【００３７】
例えば、ほこり、油滴、水滴などの、面積が感知区域２１よりほぼ狭い物体が感知区域２１に位置すると、該物体が小さいから感知区域２１は該操作を感知しなくて第１電圧の変化を発生させない。制限感知区域２３、２４も該操作を感知しなくて第２電圧の変化を発生させない。第１電圧の変化対第２電圧の変化の比率が閾値を超えなかったら、該操作が誤り操作であることを意味する。すると、近接感応センサー２０は今の状態を切り替えない。
【００３８】
上記の閾値は製造される時の初期値７／３であるが、調整可能でなる。場合によって、使用者は異なる閾値を設定することもできる。閾値が大きければ大きいほど近接感応センサーの感度が低くなる。一方、閾値が小さければ小さいほど近接感応センサーの感度が高くなる。
【００３９】
上記のように説明された近接感応センサーが作動する時、複数の感知区域２２と制限感知区域２３、２４の間に、形式的な接続関係もなくて特定の相対位置関係もない。例えば、複数の感知区域２２が制限感知区域２３、２４の隣にあることもあり、複数の感知区域２２と制限感知区域２３、２４は互いに直線又は横線に配列することもある。しかも、複数の感知区域２２が制限感知区域２３、２４によって取り囲まれること、又は制限感知区域２３、２４が複数の感知区域２２によって取り囲まれることもある。つまり、複数の感知区域２２と制限感知区域２３、２４の間の相対位置関係は本発明に開示した実施例に限らない。
【００４０】
その上、複数の感知区域２２と複数の制限感知区域２３、２４とも特定の形状に限らない。例えば、複数の感知区域２２と複数の制限感知区域２３、２４は円形、方形、楕円形、星形、心形、空心形又はいずれの従来の形状であってもよい。つまり、複数の感知区域２２と複数の制限感知区域２３、２４の形状は本発明に開示した実施例に限らない。
【００４１】
実施例２において、複数の感知区域２２と複数の制限感知区域２３、２４はそれぞれ異なる感知手段を用いてもよい。例えば、複数の感知区域２２が電場式手段を用いて操作を感知して、複数の制限感知区域２３、２４が超音波式手段を用いて操作を感知することもできる。即ち、複数の感知区域２２又は複数の制限感知区域２３、２４の用いる感知手段は本発明に開示した実施例に限らない。
【実施例３】
【００４２】
図３は本発明の実施例３の近接感応センサーを示す図である。図３において、近接感応センサー３０は、複数の駆動区域３１と感知区域３２と複数の制限感知区域３３を含んでいる。この実施例の近接感応センサーは電場式の近接感応センサーであるが、複数の駆動区域３１は電場を発生させるようにする。複数の駆動区域３１が電場を発生させると、感知区域３２と複数の制限感知区域３３とも基礎の電圧を感知する。操作がなければ、感知区域３２と複数の制限感知区域３３はそれぞれ同じの電圧を感知する。感知区域３２は第１感知区域としてもよい。複数の制限感知区域３３は複数の第２感知区域として、該操作を感知して複数の第２電圧の変化を発生させるようにする。
【００４３】
実施例３において、感知区域３２は該操作を感知するように設置されるが、該操作は正確な操作である。一方、複数の制限感知区域３３も該操作を感知するように設置されるが、該操作は誤り操作である。感知区域３２の機能と複数の制限感知区域３３のは互いに交換されてもよい。例えば、感知区域３２は、第２電圧の変化を発生させるようにしてもよい。即ち、感知区域３２は該誤り操作を感知する。そして、複数の制限感知区域３３は、第１電圧の変化を発生させるようにしてもよい。即ち、複数の制限感知区域３３は該正確な操作を感知する。
【００４４】
実施例３において、近接感応センサー３０は下に示す方式で操作が正確かどうかを判断する。
【００４５】
操作が精確に感知区域３１に発生すると、感知区域３１は該操作を感知して第１電圧の変化を発生させる。しかし、制限感知区域３４は該操作も感知しなくて第２電圧の変化も発生させない。第１電圧の変化対第２電圧の変化の比率が閾値を超えたら、該操作が感知区域３１に発生することを意味する。即ち、該操作が誤り操作でないことを意味する。すると、近接感応センサー３０は今の状態を切り替える。
【００４６】
大面積の誤り操作が感知区域３１と制限感知区域３４に発生すると、感知区域３１と制限感知区域３４は同時に該大面積の誤り操作を感知して、第１電圧の変化と第２電圧の変化をそれぞれに発生させる。第１電圧の変化対第２電圧の変化の比率が閾値を超えなかったら、該操作が誤り操作であることを意味する。すると、近接感応センサー３０は今の状態を切り替えない。
【００４７】
操作が制限感知区域３４に発生すると、制限感知区域３４は該操作を感知して第２電圧の変化を発生させる。しかし、感知区域３１は該操作も感知しなくて第１電圧の変化も発生させない。第１電圧の変化対第２電圧の変化の比率が閾値を超えなかったら、該操作が誤り操作であることを意味する。すると、近接感応センサー３０は今の状態を切り替えない。
【００４８】
例えば、ほこり、油滴、水滴などの、面積が感知区域３１よりほぼ狭い物体が感知区域３１に位置すると、該物体が小さいから感知区域３１は該操作を感知しなくて第１電圧の変化を発生させない。制限感知区域３４も該操作を感知しなくて第２電圧の変化を発生させない。第１電圧の変化対第２電圧の変化の比率が閾値を超えなかったら、該操作が誤り操作であることを意味する。すると、近接感応センサー３０は今の状態を切り替えない。
【００４９】
上記の閾値は製造される時の初期値７／３であるが、調整可能になる。場合によって、使用者は異なる閾値を設定することもできる。閾値が大きければ大きいほど近接感応センサーの感度が低くなる。一方、閾値が小さければ小さいほど近接感応センサーの感度が高くなる。
【００５０】
上記のように説明された近接感応センサーが作動する時、感知区域３２と複数の制限感知区域３３の間に、形式的な接続関係もなくて特定の相対位置関係もない。例えば、感知区域３２が複数の制限感知区域３３の隣にあることもある。しかも、感知区域３２が複数の制限感知区域３３によって取り囲まれること、又は複数の制限感知区域３３が感知区域３２によって取り囲まれることもある。つまり、感知区域３２と複数の制限感知区域３３の間の相対位置関係は本発明に開示した実施例に限らない。
【００５１】
その上、感知区域３２と複数の制限感知区域３３とも特定の形状に限らない。例えば、感知区域３２と複数の制限感知区域３３は円形、方形、楕円形、星形、心形、空心形又はいずれの従来の形状であってもよい。つまり、感知区域３２と複数の制限感知区域３３の形状は本発明に開示した実施例に限らない。
【００５２】
実施例３において、感知区域３２と複数の制限感知区域３３はそれぞれ異なる感知手段を用いてもよい。例えば、感知区域３２が電場式手段を用いて操作を感知して、複数の制限感知区域３３が超音波式手段を用いて操作を感知することもできる。即ち、感知区域３２又は複数の制限感知区域３３の用いる感知手段は本発明に開示した実施例に限らない。
【００５３】
上記三つの実施例において、第１電圧の変化対第２電圧の変化の比率が閾値を超えるかどうかによって、該操作が正確かどうかを判断する。したがって、閾値を調整することにより近接感応センサーの感度を調整することができる。一般的に、上記の閾値は製造される時の初期値７／３であるが、調整可能になる。場合によって、使用者は異なる閾値を設定することもできる。閾値が大きければ大きいほど近接感応センサーの感度が低くなる。一方、閾値が小さければ小さいほど近接感応センサーの感度が高くなる。
【００５４】
そのほか、第１電圧の変化対第２電圧の変化の比率に代わり、第１電圧の変化と第２電圧の変化の間の差を閾値としてもよい。つまり、閾値についての選択は本発明に開示した実施例に限らない。
【００５５】
以上のことから、次の有利な点を提供することが可能となる。
（１）本発明は各種従来の近接感応切替装置に適用することができる。
（２）単一の近接感応センサーは一つ又は複数の感知区域を有する。あるいは、複数の近接感応センサーは単一の感知区域を共用することもできる。
（３）単一の近接感応センサーは一つ又は複数の制限感知区域を有する。あるいは、複数の近接感応センサーは単一の制限感知区域を共用することもできる。
（４）感知区域と制限感知区域は従来の特定の形状に限らない。
（５）感知区域と制限感知区域は同じ感知手段を用い、しかも異なる感知手段を用いてもよい。
（６）複数の近接感応センサーは同時に存在することができる。
（７）制限感知区域が感知区域と異なる感知手段を用いたら、その近接感応センサーは特定の材料を排除する感知場合に適用することができる。
（８）実用性があり、直接に従来のプリント配線基板プロセス又は集積回路プロセスで完成され、コストが低くなる近接感応センサーを提供することができる。
【図面の簡単な説明】
【００５６】
【図１】本発明に係る近接感応センサーを示す図である。
【図２（ａ）】本発明に係る別の近接感応センサーを示す図である。
【図２（ｂ）】本発明の実施例２の近接感応センサーの変形例を示す図である。
【図３】本発明の実施例３の近接感応センサーを示す図である。
【符号の説明】
【００５７】
１０    近接感応センサー
１１    駆動区域
１２    感知区域
１３    制限感知区域
２０    近接感応センサー
２１    複数の駆動区域
２１ａ  単一の駆動区域
２２    複数の感知区域
２２ａ  単一の感知区域
２３    複数の制限感知区域
２３ａ  単一の制限感知区域
２４    制限感知区域
３０    近接感応センサー
３１    複数の駆動区域
３２    感知区域
３３    複数の制限感知区域
【図１】
2007116684.tif 000003
【図２（ａ）】
2007116684.tif 000004
【図２（ｂ）】
2007116684.tif 000005
【図３】
2007116684.tif 000006